(57)【要約】【課題】  電動の台車式引戸門扉の工事におけるケーブル保護用の埋設管がコンクリート打設時に位置ズレして，電動柱やセンサー柱のケーブルとの接続が不能になるのを防止する。【解決手段】  長手方向中間に電動柱位置決め冶具５を，長手方向両端にセンサー柱位置決め冶具７をそれぞれ一体的に設置したガイドレール４を，コンクリート打設用の掘削孔に仮置き配置し，同じく仮置き配置したケーブル保護用の埋設管９の長手方向端部を，これら冶具５，７の埋設管挿通孔５２，７２に挿通保持した後に，該掘削孔に基礎コンクリート８を打設して，ガイドレール４を固定する。冶具５，７の埋設管保持機能によって埋設管９の位置ズレが解消し，引戸門扉Ａの工事を容易化できる。【選択図】  図３
2008214912.tif 000002
【特許請求の範囲】
【請求項１】
電動台車式引戸のガイドレールを基礎コンクリート打設によって埋込固定するに用いる冶具であって，基礎コンクリート打設用の掘削孔に仮置き配置したガイドレールの長手方向中間に配置した電動柱位置決め冶具と，該ガイドレールの長手方向両端部に配置したセンサー柱位置決め冶具とを備えるとともにこれら電動柱位置決め冶具及びセンサー柱位置決め冶具に，それぞれ電動柱と電源及びセンサー柱とを結ぶ掘削孔配置のケーブル保護用埋設管の端部を上向きに挿通保持する埋設管挿通孔を透設具備してなることを特徴とする電動台車式引戸のガイドレール設置用冶具。
【請求項２】
上記電動柱位置決め冶具を，上記ガイドレールの長手方向中間の上面に着脱自在に載置固定してガイドレールの側方外側に張り出し突出し且つその突出した面内に上記埋設管挿通孔及びアンカー挿通孔を透設具備した金属プレートによって形成してなることを特徴とする請求項１に記載の電動台車式引戸門扉のガイドレール設置用冶具。
【請求項３】
上記センサー柱位置決め冶具を，ガイドレールの先端固定用の金属連結部材と，該連結部材にガイドレール側方外側に向けて固定した金属連結材を介して，上記ガイドレールの先端から離隔した長手方向両端部の両側に４ヶ所に配置するとともにその各埋設管挿通孔を，上記埋設管を上向きに添設保持して掘削孔に配置した金属起立部材を同時に受入自在とした金属プレートによって形成してなることを特徴とする請求項１又は２に記載の電動台車式引戸門扉のガイドレール設置用冶具。
【請求項４】
埋設管挿通孔を透設具備した電動柱位置決め冶具及びセンサー柱位置決め冶具を用い，該電動柱位置決め冶具を長手方向中間に，センサー柱位置決め冶具を長手方向両端にそれぞれ一体的に配置したガイドレールを，基礎コンクリート打設用の掘削孔に仮置き配置するとともにこれら電動柱位置決め冶具及びセンサー柱位置決め冶具の上記埋設管挿通孔に電動柱と電源及びセンサー柱とを結ぶように掘削孔に配置したケーブル保護用埋設管の端部を上向きに挿通保持して上記掘削孔に基礎コンクリートを打設することを特徴とする電動台車式引戸のガイドレール設置工事方法。
【請求項５】
埋設管挿通孔とアンカー挿通孔を透設具備した電動柱位置決め冶具，埋設管挿通孔を透設具備したセンサー柱位置決め冶具及び上記電動柱位置決め冶具に対応するように埋設管挿通孔とアンカー挿通孔を透設具備した電動柱ベースプレートを用い，上記電動柱位置決め冶具を長手方向中間の上面に，センサー柱位置決め冶具を長手方向両端にそれぞれ一体的に配置したガイドレールを，基礎コンクリート打設用の掘削孔に仮置き配置して電動柱位置決め冶具のアンカー挿通孔にガイドレール側方配置のアンカーを挿通するとともに該電動柱位置決め冶具及びセンサー柱位置決め冶具の上記埋設管挿通孔に電動柱と電源及びセンサー柱とを結ぶように掘削孔に配置したケーブル保護用埋設管の端部を上向きに挿通保持して上記掘削孔に基礎コンクリートを打設し，該基礎コンクリート硬化後に上記電動柱位置決め冶具を除去して，電動柱ベースプレートのアンカー挿通孔にアンカーを，埋設管挿通孔にケーブル保護用埋設管の端部を挿通保持することによって上記ガイドレールの側面位置に該電動柱ベースプレートを交換的に配置することを特徴とする電動台車式引戸のガイドレール設置工事方法。
【請求項６】
上記センサー柱位置決め冶具を，ガイドレールの先端固定用の金属連結部材と，該連結部材にガイドレール側方外側に向けて固定した金属連結材を介して，上記ガイドレールの先端から離隔した長手方向両端部の両側に４ヶ所に配置するとともにその各埋設管挿通孔を，上記埋設管を上向きに添設保持して掘削孔に配置した金属起立部材を同時に受入自在とした金属プレートによって形成して上記ガイドレールにそれぞれ一体的に配置してなることを特徴とする請求項４又は５に記載の電動台車式引戸のガイドレール設置工事方法。
【発明の詳細な説明】
【技術分野】
【０００１】
本発明は，公共施設や工場等の出入口に設置する台車式引戸，特に電動台車式引戸門扉のガイドレール設置用冶具及びこれを用いたガイドレール設置工事方法に関する。
【背景技術】
【０００２】
この種電動台車式引戸門扉は，該引戸を案内するガイドレールと，該ガイドレール上で台車式引戸を開閉移動する電動の駆動装置を有する電動柱と，上記ガイドレールの長手方向両端に配置して，引戸開閉方向の人，車両等の障害物を検知して駆動装置を制御して台車式引戸の開閉移動を停止する危険防止用センサーを有するセンサー柱とを備えたものとされ，このとき電動柱は，ガイドレール側方外側に該ガイドレールとは独立して起立配置し，またセンサー柱は，同じくガイドレール長手方向両端部に該ガイドレールとは独立して起立配置したものとされている。
【０００３】
そしてこの電動台車式引戸門扉の設置工事は，上記ガイドレールと，上記電動柱と電源及びセンサー柱間を結ぶケーブル保護用の埋設管と，所定位置のアンカーとを，基礎コンクリート打設用の掘削孔に仮置き配置し，該掘削孔に基礎コンクリートを打設し，該基礎コンクリートの硬化後に，電動柱及びセンサー柱のベースプレートをアンカー固定するとともにこれらベースプレートにそれぞれ電動柱及びセンサー柱を起立固定する一方，上記埋設管のケーブルと電動柱及びセンサー柱のケーブルを接続した上，ガイドレールに台車式引戸を開閉移動自在に載置するように行うものとされている。
【０００４】
【非特許文献１】東洋エクステリア株式会社  平成１８年５月発行の「２００６環境エクステリア総合カタログ」  ２１２，２１３頁
【発明の開示】
【発明が解決しようとする課題】
【０００５】
しかし乍ら，この種電動台車式引戸門扉の工事は，基礎コンクリート施工の基礎施工業者と，基礎コンクリート形成後に門扉設置工事を行う門扉工事業者の双方が関与して，その工事を分担して行うのが一般であり，このとき基礎施工業者が，上記ガイドレール，ケーブル保護用の埋設管，アンカーを掘削孔に仮置き配置した上，該掘削孔に対する基礎コンクリート打設の工事までを行う一方，基礎コンクリートの硬化後に，門扉工事業者が電動柱，センサー柱及び埋設管へのケーブルと電動柱，センサー柱のケーブルとの接続，台車式引戸の載置等の工事を行うものとされているところ，基礎コンクリートの施工に際して，そのコンクリートの流入圧によって，掘削孔に配置した上記ケーブル保護用の埋設管が配置位置から流されて移動する結果，該埋設管配置に位置ズレを生じることが多く，該位置ズレを生じた状態で基礎コンクリートが硬化すると，埋設管が電動柱及びセンサー柱の設置位置から離れて，該埋設管に挿通するケーブル位置と，電動柱及びセンサー柱に内蔵したモーター，センサー等のケーブル位置が合わずに，その接続が不能となるに至る。従って埋設管に位置ズレが生じた場合には，コンクリート基礎を部分的に斫る等して，埋設管位置の修正を施してその接続を行った後に，再度基礎コンクリートの補修を行う等の措置が必要となる。このように電動台車式引戸門扉，特にそのガイドレールの設置工事に複数の業者が関与する一方，ケーブル保護のためにこれを挿通する埋設管を用いることによって，その設置工事が煩雑化し易いという問題点がある。
【０００６】
本発明はかかる事情に鑑みてなされたもので，その解決課題とするところは，基礎コンクリート打設の流入圧の影響を解消して，ケーブル保護用の埋設管を定位置に保持することによって，埋設管のケーブルと電動柱及びセンサー柱のケーブル接続を簡易且つ確実になし得るようにして，電動台車式引戸門扉の設置工事を可及的に容易化し得るようにした電動台車式引戸門扉のガイドレール設置用冶具及びこれを用いたガイドレール設置工事方法を提供するにある。
【課題を解決するための手段】
【０００７】
上記課題に沿って本発明は，電動台車式引戸のガイドレールに電動柱及びセンサー柱の位置決め用の冶具を一体的に配置して，基礎コンクリート打設用の掘削孔に該ガイドレールとケーブル保護用の埋設管を仮置き配置するとともに位置決め用の冶具に透設具備した埋設管挿通孔に埋設管の端部を挿通して，該端部を上向きに保持した状態で基礎コンクリートを打設して，これら位置決め冶具が埋設管の保持機能を発揮することによって，埋設管に対する基礎コンクリート打設の流入圧の影響を解消するようにしたものであって，即ち請求項１に記載の発明を，電動台車式引戸のガイドレールを基礎コンクリート打設によって埋込固定するに用いる冶具であって，基礎コンクリート打設用の掘削孔に仮置き配置したガイドレールの長手方向中間に配置した電動柱位置決め冶具と，該ガイドレールの長手方向両端部に配置したセンサー柱位置決め冶具とを備えるとともにこれら電動柱位置決め冶具及びセンサー柱位置決め冶具に，それぞれ電動柱と電源及びセンサー柱とを結ぶ掘削孔配置のケーブル保護用埋設管の端部を上向きに挿通保持する埋設管挿通孔を透設具備してなることを特徴とする電動台車式引戸のガイドレール設置用冶具としたものである。
【０００８】
請求項２に記載の発明は，上記に加えて，電動柱位置決め冶具をガイドレールから取外し可能の基礎コンクリート打設専用のものとし，その固定をガイドレールの上面に載置固定することによって可及的簡易にして確実な電動柱の位置決めをなし得るようにするとともにその取外し後に，該電動柱位置決め冶具によって基礎コンクリートに位置決め設置したアンカーを用いて，電動柱設置用の別部材を交換的に設置し，該別部材に電動柱を設置し得るものとするように，これを，上記電動柱位置決め冶具を，上記ガイドレールの長手方向中間の上面に着脱自在に載置固定してガイドレールの側方外側に張り出し突出し且つその突出した面内に上記埋設管挿通孔及びアンカー挿通孔を透設具備した金属プレートによって形成してなることを特徴とする請求項１に記載の電動台車式引戸門扉のガイドレール設置用冶具としたものである。
【０００９】
請求項３に記載の発明は，同じく上記に加えて，センサー柱位置決め冶具を，ガイドレールの先端から離隔した長手方向両端部の両側に４ヶ所配置し，該４ヶ所のセンサー柱位置決め冶具を，捨て冶具としてそのまま使用してこれらにそれぞれセンサー柱を設置し，４ヶ所のセンサー柱によって電動台車式引戸の安全性を高度に確保し得るようにするとともに該センサー柱位置決め冶具に透設具備した埋設管挿通孔を，上記埋設管を上向きに添設保持する起立部材とともに受入自在とすることによって，センサー柱位置決め冶具による埋設管の保持機能を向上し，基礎コンクリート打設による埋設管の位置ズレ防止を更に確実になし得るものとするように，これを，上記センサー柱位置決め冶具を，ガイドレールの先端固定用の金属連結部材と，該連結部材にガイドレール側方外側に向けて固定した金属連結材を介して，上記ガイドレールの先端から離隔した長手方向両端部の両側に４ヶ所に配置するとともにその各埋設管挿通孔を，上記埋設管を上向きに添設保持して掘削孔に配置した金属起立部材を同時に受入自在とした金属プレートによって形成してなることを特徴とする請求項１又は２に記載の電動台車式引戸門扉のガイドレール設置用冶具としたものである。
【００１０】
請求項４に記載の発明は，電動柱位置決め冶具及びセンサー柱位置決め冶具を用いることによって，基礎コンクリート打設の流入圧の影響を解消し得るガイドレール設置工事方法を提供するように，これを，埋設管挿通孔を透設具備した電動柱位置決め冶具及びセンサー柱位置決め冶具を用い，該電動柱位置決め冶具を長手方向中間に，センサー柱位置決め冶具を長手方向両端にそれぞれ一体的に配置したガイドレールを，基礎コンクリート打設用の掘削孔に仮置き配置するとともにこれら電動柱位置決め冶具及びセンサー柱位置決め冶具の上記埋設管挿通孔に電動柱と電源及びセンサー柱とを結ぶように掘削孔に配置したケーブル保護用埋設管の端部を上向きに挿通保持して上記掘削孔に基礎コンクリートを打設することを特徴とする電動台車式引戸のガイドレール設置工事方法としたものである。
【００１１】
請求項５に記載の発明は，同じく電動柱位置決め冶具及びセンサー柱位置決め冶具を用いることによって，基礎コンクリート打設の流入圧の影響を解消し得るとともに該電動柱位置決め冶具を着脱自在の基礎コンクリート打設専用とし，その使用により基礎コンクリートに設置したアンカーを用いて電動柱ベースプレートを交換的に設置し，該電動柱ベースプレートによって電動柱位置決め冶具と同様に埋設管を上向きに挿通保持して，電動柱の設置をなし得るものとするように，これを，埋設管挿通孔とアンカー挿通孔を透設具備した電動柱位置決め冶具，埋設管挿通孔を透設具備したセンサー柱位置決め冶具及び上記電動柱位置決め冶具に対応するように埋設管挿通孔とアンカー挿通孔を透設具備した電動柱ベースプレートを用い，上記電動柱位置決め冶具を長手方向中間の上面に，センサー柱位置決め冶具を長手方向両端にそれぞれ一体的に配置したガイドレールを，基礎コンクリート打設用の掘削孔に仮置き配置して電動柱位置決め冶具のアンカー挿通孔にガイドレール側方配置のアンカーを挿通するとともに該電動柱位置決め冶具及びセンサー柱位置決め冶具の上記埋設管挿通孔に電動柱と電源及びセンサー柱とを結ぶように掘削孔に配置したケーブル保護用埋設管の端部を上向きに挿通保持して上記掘削孔に基礎コンクリートを打設し，該基礎コンクリート硬化後に上記電動柱位置決め冶具を除去して，電動柱ベースプレートのアンカー挿通孔にアンカーを，埋設管挿通孔にケーブル保護用埋設管の端部を挿通保持することによって上記ガイドレールの側面位置に該電動柱ベースプレートを交換的に配置することを特徴とする電動台車式引戸のガイドレール設置工事方法としたものである。
【００１２】
請求項６に記載の発明は，同じく上記に加えて，センサー柱位置決め冶具を，ガイドレールの先端から離隔したその両端両側に４ヶ所配置し，該４ヶ所のセンサー柱位置決め冶具を，捨て冶具としてそのまま使用してこれらにそれぞれセンサー柱を設置し，４ヶ所のセンサー柱によって電動台車式引戸の安全性を高度に確保し得るようにするとともに該センサー柱位置決め冶具に透設具備した埋設管挿通孔を，上記埋設管を上向きに添設保持する起立部材とともに受入自在とすることによって，センサー柱位置決め冶具による埋設管の保持機能を向上し，基礎コンクリート打設による埋設管の位置ズレ防止を更に確実になし得るものとするように，これを，上記センサー柱位置決め冶具を，ガイドレールの先端固定用の金属連結部材と，該連結部材にガイドレール側方外側に向けて固定した金属連結材を介して，上記ガイドレールの先端から離隔した長手方向両端部の両側に４ヶ所に配置するとともにその各埋設管挿通孔を，上記埋設管を上向きに添設保持して掘削孔に配置した金属起立部材を同時に受入自在とした金属プレートによって形成して上記ガイドレールにそれぞれ一体的に配置してなることを特徴とする請求項４又は５に記載の電動台車式引戸のガイドレール設置工事方法としたものである。
【００１３】
本発明はこれらをそれぞれ発明の要旨として，上記課題解決の手段としたものである。
【発明の効果】
【００１４】
本発明は以上のとおりに構成したから，請求項１に記載の発明は，電動台車式引戸のガイドレールに電動柱及びセンサー柱の位置決め用の冶具を一体的に配置して，基礎コンクリート打設用の掘削孔に該ガイドレールとケーブル保護用の埋設管を仮置き配置するとともに位置決め用の冶具に透設具備した埋設管挿通孔に埋設管の端部を挿通して，該端部を上向きに保持した状態で基礎コンクリートを打設して，これら位置決め冶具が埋設管の保持機能を発揮することによって，埋設管に対する基礎コンクリート打設の流入圧の影響を解消するようにして，ケーブル保護用の埋設管を定位置に保持することによって，埋設管のケーブルと電動柱及びセンサー柱のケーブル接続を容易且つ確実になし得るようにして，電動台車式引戸門扉の設置工事を容易化し得る電動台車式引戸門扉のガイドレール設置用冶具を提供することができる。
【００１５】
請求項２に記載の発明は，上記に加えて，電動柱位置決め冶具をガイドレールから取外し可能の基礎コンクリート打設専用のものとし，その固定をガイドレールの上面に載置固定することによって可及的簡易にして確実な電動柱の位置決めをなし得るようにするとともにその取外し後に，該電動柱位置決め冶具によって基礎コンクリートに位置決め設置したアンカーを用いて，電動柱設置用の別部材を交換的に設置し，該別部材に電動柱を設置し得るものとすることができる。
【００１６】
請求項３に記載の発明は，同じく上記に加えて，センサー柱位置決め冶具を，ガイドレールの先端から離隔した長手方向両端部の両側に４ヶ所配置し，該４ヶ所のセンサー柱位置決め冶具を，捨て冶具としてそのまま使用してこれらにそれぞれセンサー柱を設置し，４ヶ所のセンサー柱によって電動台車式引戸の安全性を高度に確保し得るようにするとともに該センサー柱位置決め冶具に透設具備した埋設管挿通孔を，上記埋設管を上向きに添設保持する起立部材とともに受入自在とすることによって，センサー柱位置決め冶具による埋設管の保持機能を向上し，基礎コンクリート打設による埋設管の位置ズレ防止を更に確実になし得るものとすることができる。
【００１７】
請求項４に記載の発明は，電動柱位置決め冶具及びセンサー柱位置決め冶具を用いることによって，基礎コンクリート打設の流入圧の影響を解消して，ケーブル保護用の埋設管を定位置に保持することによって，埋設管のケーブルと電動柱及びセンサー柱のケーブル接続を容易且つ確実になし得るようにして，電動台車式引戸門扉の設置工事を容易化し得る電動台車式引戸門扉のガイドレール設置工事方法を提供することができる。
【００１８】
請求項５に記載の発明は，同じく電動柱位置決め冶具及びセンサー柱位置決め冶具を用いることによって，基礎コンクリート打設の流入圧の影響を解消し得るとともに該電動柱位置決め冶具を着脱自在の基礎コンクリート打設専用とし，その使用により基礎コンクリートに設置したアンカーを用いて電動柱ベースプレートを交換的に設置し，該電動柱ベースプレートによって電動柱位置決め冶具と同様に埋設管を上向きに挿通保持して，電動柱の設置を行うものとすることができる。
【００１９】
請求項６に記載の発明は，同じく上記に加えて，センサー柱位置決め冶具を，ガイドレールの先端から離隔したその両端両側に４ヶ所配置し，該４ヶ所のセンサー柱位置決め冶具を，捨て冶具としてそのまま使用してこれらにそれぞれセンサー柱を設置し，４ヶ所のセンサー柱によって電動台車式引戸の安全性を高度に確保し得るようにするとともに該センサー柱位置決め冶具に透設具備した埋設管挿通孔を，上記埋設管を上向きに添設保持する起立部材とともに受入自在とすることによって，センサー柱位置決め冶具による埋設管の保持機能を向上し，基礎コンクリート打設による埋設管の位置ズレ防止を更に確実になし得るものとすることができる。
【発明を実施するための最良の形態】
【００２０】
以下図面の例に従って本発明を更に具体的に説明すれば，Ａは，例えば片開き用とした電動台車式引戸門扉，４は，その台車式引戸１を開閉案内する金属製，例えば鋼製としたガイドレール，５及び７は該ガイドレール４を基礎コンクリート８打設によって埋込固定するように該ガイドレール４設置用の冶具として用いる電動柱位置決め冶具及びセンサー柱位置決め冶具，９は，上記電動台車式引戸門扉Ａの電動柱２と電源（図示省略）及びセンサー柱３とを結ぶケーブル保護用埋設管を示す。
【００２１】
本例にあってガイドレール４は，平行一対にして，その長手方向所定間隔に多数の交差材４１を架設配置した梯子状に形成した一体の長尺フレームとしてあり，台車式引戸１の奥行幅，特に台車引戸１に下向きに設置した前後のローラー間隔に合せた前後の奥行幅を有し且つ台車式引戸１における横幅の略２倍の長さを有するものとしてあり，このとき該ガイドレール４は，上記台車式引戸１のローラーを受入れ案内する溝レール，例えば上向きＣ字状の複雑断面をなすように成形した溝レールによるものとしてある。
【００２２】
該ガイドレール４は，その下面に基礎コンクリート８に埋込んで該ガイドレール４を固定するための所定間隔多数のアンカープレート４２を，その各長手方向下面にそれぞれネジ，溶着等適宜の固定手段によって固定してあり，該アンカープレート４２によって基礎コンクリート８形成用に掘削した掘削孔の下面から所定高さに保持して，該掘削孔へ仮置き配置するものとしてある。
【００２３】
電動柱位置決め冶具５及びセンサー柱位置決め冶具７は，それぞれ上記ケーブル保護用埋設管８の端部を上向きに挿通保持する埋設管挿通孔５２，６２を透設具備して，上記ガイドレール４に一体的に配置したものとしてある。
【００２４】
このとき本例の電動柱位置決め冶具５は，これを，上記ガイドレール４の長手方向中間の上面に着脱自在に載置固定してガイドレール４の側方外側に張り出し突出し且つその突出した面内に上記埋設管挿通孔５２及びアンカー挿通孔５１を透設具備した金属プレートによって形成したものとしてあり，これによって該電動柱位置決め冶具５は，これを，上記ガイドレール４から取外し可能の基礎コンクリート打設専用のものとし，その取外し後に，電動柱２設置用の別部材，本例にあっては後述の電動柱ベースプレート６を交換的に配置し，これに電動柱２を起立設置するものとしてある。
【００２５】
本例の該プレートによる電動柱位置決め冶具５は，例えば平面方形乃至矩形の厚肉鋼板製にして，その一辺を，ガイドレール４，例えば上記平行一対のうちの片側のガイドレール上面に載置して，該載置部分を固定手段，例えば４ヶ所のネジによって該ガイドレール４に固定してあり，このとき該位置決め冶具５の面内に透設具備した埋設管挿通孔５２は，例えば矩形，方形，円形等適宜の平面形状をなすように透設してある。このとき該埋設管挿通孔５２は，電動柱２が電源とのケーブル及びガイドレール長手方向両端のセンサー柱３との合計３本のケーブルの接続を行なうように，該３本の埋設管９を受け入れ保持可能の開口面積を有するものとしてある。また同じく電動柱位置決め冶具５の面内に透設具備したアンカー挿通孔５１は，これを，該ガイドレール４から張り出し突設したその突出面内に４ヶ所とし，例えば突出方向先端両側の２ヶ所とガイドレール４側両端２ヶ所に配置し，掘削孔に仮置き配置したアンカー５３の上方ボルト部分を上方に向けて突出するようにして該アンカー５３を挿通保持するものとしてある。
【００２６】
上記ガイドレール４両端部に固定した上記センサー柱位置決め冶具７は，本例にあって，これを，ガイドレール４の先端固定用の金属連結部材７４と，該連結部材７４にガイドレール４側方外側に向けて固定した金属連結材７５を介して，上記ガイドレール４の先端から離隔した長手方向両端部の両側に４ヶ所に配置するとともにその各埋設管挿通孔７２を，上記埋設管９を上向きに添設保持して掘削孔に配置した金属起立部材７６を同時に受入自在とした金属プレートによって形成したものとしてあり，このとき本例のセンサー柱位置決め冶具７は，その面内のコーナー部に，後述のセンサー柱３を設置するに用いるアンカーボルト乃至ボルトの挿通孔，本例にあっては雌ネジを刻設したボルト挿通孔７１を４ヶ所配置したものとしてある。
【００２７】
即ち該センサー柱位置決め冶具７は，同じく，例えば平面方形乃至矩形の厚肉鋼板製にして，上記連結材７５上に載置して溶着等適宜の固定手段によって該連結材７５の長手方向両端にそれぞれ２ヶ所づつ固定してあり，その面内に透設具備した埋設管挿通孔７２は，これを，例えば矩形，方形，円形等適宜の平面形状，本例にあっては矩形をなすように透設してあり，このとき本例の該埋設管挿通孔７２は，上記埋設管９とともに上記起立部材７６を受入保持するように該起立部材７６に合せて，これらを受入れ保持可能の開口面積を有するものとしてある。
【００２８】
センサー柱位置決め冶具７の配置に用いる上記連結部材７４は，例えばガイドレール４の奥行幅より狭小の間隔として，本例にあってガイドレール４の，例えば長手方向両端に配置した交差材４１に，例えばネジ，溶着等の固定手段によって固定した平行一対のものとするか，必要に応じてこれに補強材，例えば連結部材７４を平面Ｎ字状とする如くに傾斜して補強材を配置した金属，特に鋼製の断面Ｌ字材によるものとしてあり，連結材７５は該連結部材７４の先端に同じく適宜の固定手段によって固定した鋼製にして単一の断面Ｌ字材によるものとしてある。また起立部材７６は，例えばセンサー位置決め冶具７の，本例にあって上記矩形とした埋設管挿通孔７２に嵌合するように，その２辺の長さを該埋設管挿通孔７２の内法２辺に合せた同じく断面Ｌ字材によるものとしてある。
【００２９】
センサー柱位置決め冶具７は，上記連結材７５の両端，例えば該連結材７５の上向きの起立片上の両端に，その埋設管挿通孔７２及びボルト挿通孔７１が閉塞されないように，溶着等適宜の固定手段によって，その固定を行ったものとしてあり，このとき該センサー柱位置決め冶具７は，上記連結材７５によって基礎コンクリート８形成用に掘削した掘削孔の下面から所定高さに保持するようにしてある。
【００３０】
電動柱位置決め冶具５及びセンサー柱位置決め冶具７を用いたガイドレール４の設置工事方法は，これを，上記電動柱位置決め冶具５を長手方向中間に，センサー柱位置決め冶具７を長手方向両端にそれぞれ一体的に配置したガイドレール４を，基礎コンクリート８打設用の掘削孔に仮置き配置するとともにこれら電動柱位置決め冶具５及びセンサー柱位置決め冶具７の上記埋設管挿通孔５２，７２に電動柱２と電源及びセンサー柱３とを結ぶように掘削孔に配置したケーブル保護用埋設管９の端部を上向きに挿通保持して上記掘削孔に基礎コンクリート８を打設するものとしてある。
【００３１】
このとき本例の，上記ガイドレール４から取外し可能の基礎コンクリート打設専用のものとした電動柱位置決め冶具５及び上記捨て冶具とした上記センサー柱位置決め冶具７によってガイドレール４を設置するガイドレール４の設置工事方法は，これら冶具５，７に加えて，上記電動柱位置決め冶具５に対応するように埋設管挿通孔６２とアンカー挿通孔６１を透設具備した電動柱ベースプレート６を用いて行うものとしてあり，該工事方法は，上記電動柱位置決め冶具５を長手方向中間の上面に，センサー柱位置決め冶具７を長手方向両端にそれぞれ一体的に配置したガイドレール４を，基礎コンクリート８打設用の掘削孔に仮置き配置して電動柱位置決め冶具５のアンカー挿通孔５１にガイドレール４側方配置のアンカー５３を挿通するとともに該電動柱位置決め冶具５及びセンサー柱位置決め冶具７の上記埋設管挿通孔５２，７２に電動柱２と図示省略の電源及びセンサー柱３とを結ぶように掘削孔に配置したケーブル保護用埋設管９の端部を上向きに挿通保持して上記掘削孔に基礎コンクリート８を打設し，該基礎コンクリート８硬化後に上記電動柱位置決め冶具５を除去して，電動柱ベースプレート６のアンカー挿通孔６１にアンカー５３を，埋設管挿通孔６２にケーブル保護用埋設管９の端部を挿通保持することによって上記ガイドレール４の側面位置に該電動柱ベースプレート６を交換的に配置するように行うものとしてある。
【００３２】
即ち，ガイドレール４設置は，基礎コンクリート８を形成し，該基礎コンクリート８にガイドレール４を埋込固定し，該ガイドレール４が基礎コンクリート８の地表に露出し且つその上方に突出しないように行うために，電動台車式引戸門扉Ａの設置位置には，地面を基礎コンクリート８の厚さに応じて掘削した掘削孔を形成し，該掘削孔にガイドレール４を仮置き配置して基礎コンクリート８の打設を行うものとしてある。このとき該掘削孔の掘削面に，電動柱位置決め冶具５と，上記連結部材７４と連結材７５を介したセンサー柱位置決め冶具７を一体的に配置した状態で，該ガイドレール４を上記所定高さに仮置き配置する一方，該掘削面に，電動柱２と電源，例えばＡＣ電源及びガイドレール長手方向両端のセンサー柱３とを結ぶようにそのケーブルを保護する埋設管９を同様に仮置き配置するとともに該埋設管９の長手方向端部を，上記電動柱位置決め冶具５にあってはその埋設管挿通孔５２に挿通する一方，センサー柱位置決め冶具７にあってはそのボルト挿通孔７１に下面からのボルト７３を螺装起立し且つ埋設管挿通孔７２に上記起立部材７６とともに挿通し，これら冶具５，７から上方に起立するように該埋設管９の端部を保持し，また本例にあっては更に電動柱位置決め冶具５のアンカー挿通孔５１に掘削面に載置して仮置き配置したアンカー５３のボルト部分を上向きに挿通保持するように，その事前の準備を行い，該準備の完了後に，上記基礎コンクリート８を打設することによって，そのガイドレール４の設置工事を行うものとしてある。
【００３３】
このようにガイドレール４の設置工事を行うことによって，埋設管９は，その長手方向端部を電動柱位置決め冶具５とセンサー柱位置決め冶具７の各埋設管挿通孔５２，７２に上向きに挿通保持した状態とされて，基礎コンクリート８の打設を行うために，埋設管９が打設の流入圧を受けても，これら冶具５，７が埋設管保持機能を発揮する結果，該埋設管９の移動，特にその長手方向端部の移動が阻止されて，これが定位置に保持され，基礎コンクリート８の硬化時に該埋設管９が位置ズレを生じるのを確実に防止することが可能になる。
【００３４】
基礎コンクリート８の硬化後に，ガイドレール４に一体的に配置した電動柱位置決め冶具５を，例えばその固定手段のネジ固定を解除して，該電動柱位置決め冶具５をガイドレール４から取外して，これに交換的に上記電動柱ベースプレート６を配置し，これに電動柱２を起立設置する一方，捨て冶具とした上記４ヶ所のセンサー柱位置決め冶具７にそれぞれセンサー柱３を起立設置し，埋設管９に挿通したケーブルと電動柱２と電源及びガイドレール長手方向両端のセンサー柱３のケーブルとを接続し，その後に台車式引戸１をガイドレール４上に載置するようにして，電動台車式引戸Ａの設置工事を完了すればよい。
【００３５】
このとき上記交換的な電動柱ベースプレート６の設置は，上記電動柱位置決め冶具５に保持して基礎コンクリート８に埋設固定したアンカー５３のボルト部分を，そのアンカー孔６１に，また埋設管９を，その埋設管挿通孔６２にそれぞれ挿通して，該電動柱ベースプレート６がガイドレール４による台車式引戸１の開閉を妨げないように，これを，該ガイドレール４の中間位置側方の基礎コンクリート８上に載置するようにし，その後に該電動柱ベースプレート６上に電動柱２を載置し，その図示省略の底板に形成したアンカー挿通孔に同じくボルト部分を挿通し，該底板上から各アンカー５３のボルト部分にナットを締着して，基礎コンクリート８上に該電動柱ベースプレート６と電動柱２を一体的に固定すればよい。
【００３６】
また上記センサー柱位置決め冶具７は，これを捨て冶具として，その上にそれぞれセンサー柱３を載置して，同じくその底板のアンカー孔に該冶具７の上向きのボルト７３を挿通し，該底板上からの各ボルト７３にナットを締着して，基礎コンクリート８上に該センサー柱位置決め冶具７とセンサー柱３を一体的に固定すればよい。
【００３７】
このように本例のガイドレール４設置方法及びこれを前提とする電動台車式引戸Ａの設置方法は，基礎コンクリート８施工の基礎施工業者と，基礎コンクリート８形成後に門扉設置工事を行う門扉工事業者の双方が関与するも，上記冶具５，７を使用することによって上記埋設管９の位置ズレを解消し，埋設管９のケーブルと電動柱２，センサー柱３等のケーブル接続を簡易且つ確実になし得ることによって，ガイドレール４の設置工事，ひいては電動台車式引戸門扉Ａの設置工事を可及的に容易化することができる。
【００３８】
図示した例は以上のとおりとしたが，電動台車式引戸門扉を両開きのものとすること，上記に準じて，電動柱位置決め冶具を捨て冶具とし，またセンサー柱位置決め冶具を基礎コンクリート打設専用として，これに交換的にセンサー柱ベースプレートを設置するようにし，またこれら電動柱位置決め冶具及びセンサー柱位置決め冶具の双方を捨て冶具とし又は交換的にベースプレートを設置するものとすること等を含めて，本発明の実施に当って，ガイドレール，電動柱位置決め冶具，センサー柱位置決め冶具，埋設管等の各具体的材質，形状，構造，これらの関係，ガイドレールの設置工事方法，これらに対する付加等は，上記発明の要旨に反しない限り様々な形態のものとすることができる。
【図面の簡単な説明】
【００３９】
【図１】電動台車式引戸の正面図である。
【図２】コンクリート基礎上のガイドレールと電動柱及びセンサー柱の関係を示す平面図である。
【図３】ガイドレールの平面図である。
【図４】ガイドレールと埋設管の関係を示すモデル図である。
【図５】ガイドレールと電動柱位置決め冶具の関係を示す斜視図である。
【図６】センサー柱位置決め冶具の配置の関係を示す斜視図である。
【符号の説明】
【００４０】
Ａ    電動台車式引戸門扉
１    台車式引戸
２    電動柱
３    センサー柱    
４    ガイドレール
４１  交差材
４２  アンカープレート
５    電動柱位置決め冶具
５１  アンカー挿通孔
５２  埋設管挿通孔
５３  アンカー
６    電動柱ベースプレート
６１  アンカー挿通孔
６２  埋設管挿通孔
７    センサー柱位置決め冶具
７１  ボルト挿通孔
７２  埋設管挿通孔
７３  ボルト
７４  連結部材
７５  連結材
７６  起立部材
８    コンクリート基礎
９    埋設管
【図１】
2008214912.tif 000003
【図２】
2008214912.tif 000004
【図３】
2008214912.tif 000005
【図４】
2008214912.tif 000006
【図５】
2008214912.tif 000007
【図６】
2008214912.tif 000008